(57)【要約】【課題】  従来使用されていた半固定抵抗器に代えて、安価な固定抵抗器を用いてフォトダイオード素子の出力電流を精度よく設定することができるとともに、長期安定性にも優れた光ピックアップを提供する。【解決手段】  モニター素子４の光電流Ｉｍを規制する抵抗器を固定抵抗器８ａと追加抵抗器８ｂとを並列接続した合成抵抗器８とするとともに、上記固定抵抗器８ａと、基準固定抵抗器群から接続する基準固定抵抗器を選択可能な調整用抵抗器１３とを並列接続し、上記切り替えスイッチ１３を切り替えて上記調整用抵抗器１３の抵抗値の大きさを増減させることによりフォトダイオード素子６の出力電流Ｉｐの大きさを変化させて、上記出力電流Ｉｐが所定の電流範囲に収まるような基準固定抵抗器を選択した後、上記選択された基準固定抵抗器の抵抗値とほぼ等しい抵抗値を有する追加抵抗器８ｂを上記光ピックアップ１に後付けするようにした。【選択図】        図１
2006059467.tif 000002
【特許請求の範囲】
【請求項１】
レーザーダイオード素子と、その発光量を検出するモニター素子と、光ディスクからの反射光を検出するフォトダイオード素子と、上記モニター素子の出力端に接続され、上記モニター素子の検出電流を制限する抵抗器とを備えた光ピックアップの調整方法であって、上記抵抗器を、固定抵抗器とこの固定抵抗器に後付けにて並列接続される追加抵抗器とから成る合成抵抗器とするとともに、切り替えスイッチとこの切り替えスイッチにより選択される既知の値を有する基準固定抵抗器群とを備えた調整用抵抗器を上記追加抵抗器を並列接続するための後付け用端子に接続し、上記固定抵抗器に並列接続される基準固定抵抗器を切り替えながら上記レーザーダイオード素子を発光させて上記フォトダイオード素子の出力電流が所定の範囲内に収まるような基準固定抵抗器を選択した後、上記選択された基準固定抵抗器の抵抗値とほぼ同じ抵抗値の追加抵抗器を上記後付け用端子に後付けして上記合成抵抗器の抵抗値を調整するようにしたことを特徴とする光ピックアップの調整方法。
【請求項２】
レーザーダイオード素子と、その発光量を検出するモニター素子と、光ディスクからの反射光を検出するフォトダイオード素子と、上記モニター素子の出力端に接続され、上記モニター素子の検出電流を制限する抵抗器とを備えた光ピックアップの調整方法であって、上記抵抗器を、固定抵抗器とこの固定抵抗器に後付けにて並列接続される追加抵抗器とから成る合成抵抗器とするとともに、可変抵抗器を上記追加抵抗器を並列接続するための後付け用端子に接続し、上記可変抵抗器の抵抗値を変化させながら上記レーザーダイオード素子を発光させて上記フォトダイオード素子の出力電流が所定の範囲内に収まるように上記可変抵抗器の抵抗値を調整した後、上記調整された抵抗値とほぼ同じ抵抗値の追加抵抗器を上記後付け用端子に後付けして上記合成抵抗器の抵抗値を調整するようにしたことを特徴とする光ピックアップの調整方法。
【請求項３】
レーザーダイオード素子と、その発光量を検出するモニター素子と、光ディスクからの反射光を検出するフォトダイオード素子と、上記モニター素子の出力端に接続され、上記モニター素子の検出電流を制限する抵抗器とを備えた光ピックアップの調整方法であって、上記抵抗器を、固定抵抗器とこの固定抵抗器に後付けにて直列接続される追加抵抗器とから成る合成抵抗器とするとともに、切り替えスイッチとこの切り替えスイッチにより選択される既知の値を有する基準固定抵抗器群とを備えた調整用抵抗器を上記追加抵抗器を直列接続するための後付け用端子に接続し、上記固定抵抗器に直列接続される基準固定抵抗器を切り替えながら上記レーザーダイオード素子を発光させて上記フォトダイオード素子の出力電流が所定の範囲内に収まるような基準固定抵抗器を選択した後、上記選択された基準固定抵抗器の抵抗値とほぼ同じ抵抗値の追加抵抗器を上記後付け用端子に後付けして上記合成抵抗器の抵抗値を調整するようにしたことを特徴とする光ピックアップの調整方法。
【請求項４】
レーザーダイオード素子と、その発光量を検出するモニター素子と、光ディスクからの反射光を検出するフォトダイオード素子と、上記モニター素子の出力端に接続され、上記モニター素子の検出電流を制限する抵抗器とを備えた光ピックアップの調整方法であって、上記抵抗器を、固定抵抗器とこの固定抵抗器に後付けにて直列接続される追加抵抗器とから成る合成抵抗器とするとともに、可変抵抗器を上記追加抵抗器を直列接続するための後付け用端子に接続し、上記可変抵抗器の抵抗値を変化させながら上記レーザーダイオード素子を発光させて上記フォトダイオード素子の出力電流が所定の範囲内に収まるように上記可変抵抗器の抵抗値を調整した後、上記調整された抵抗値とほぼ同じ抵抗値の追加抵抗器を上記後付け用端子に後付けして上記合成抵抗器の抵抗値を調整するようにしたことを特徴とする光ピックアップの調整方法。
【請求項５】
レーザーダイオード素子と、その発光量を検出するモニター素子と、光ディスクからの反射光を検出するフォトダイオード素子と、上記モニター素子の出力端に接続され、上記モニター素子の検出電流を制限する抵抗器とを備えた光ピックアップの調整方法であって、上記抵抗器を、固定抵抗器とこの固定抵抗器に後付けにて直列接続される追加抵抗器とから成る合成抵抗器とするとともに、上記合成抵抗器に代えて、切り替えスイッチとこの切り替えスイッチにより選択される既知の値を有する基準固定抵抗器群とを備えた調整用抵抗器と上記固定抵抗器と同じ抵抗値を有する第２の固定抵抗器と直列接続した調整用抵抗器を上記モニター素子の出力端子に接続し、上記基準固定抵抗器を切り替えながら上記レーザーダイオード素子を発光させて上記フォトダイオード素子の出力電流が所定の範囲内に収まるような基準固定抵抗器を選択した後、上記選択された基準固定抵抗器の抵抗値とほぼ同じ抵抗値の追加抵抗器を上記後付け用端子に後付けして上記合成抵抗器の抵抗値を調整するようにしたことを特徴とする光ピックアップの調整方法。
【請求項６】
レーザーダイオード素子と、その発光量を検出するモニター素子と、光ディスクからの反射光を検出するフォトダイオード素子と、上記モニター素子の出力端に接続され、上記モニター素子の検出電流を制限する抵抗器とを備えた光ピックアップの調整方法であって、上記抵抗器を、固定抵抗器とこの固定抵抗器に後付けにて直列接続される追加抵抗器とから成る合成抵抗器とするとともに、上記合成抵抗器に代えて、可変抵抗器と上記固定抵抗器と同じ抵抗値を有する第２の固定抵抗器と直列接続した調整用抵抗器を上記モニター素子の出力端子に接続し、上記可変抵抗器の抵抗値を変化させながら上記レーザーダイオード素子を発光させて上記フォトダイオード素子の出力電流が所定の範囲内に収まるように上記可変抵抗器の抵抗値を調整した後、上記調整された抵抗値とほぼ同じ抵抗値の追加抵抗器を上記後付け用端子に後付けして上記合成抵抗器の抵抗値を調整するようにしたことを特徴とする光ピックアップの調整方法。
【請求項７】
上記フォトダイオード素子が受光する光線を、光ディスクにより反射された上記レーザーダイオード素子の反射光としたことを特徴とする請求項１〜請求項６のいずれかに記載の光ピックアップの調整方法。
【請求項８】
上記フォトダイオード素子が受光する光線を、導光部材を介して導かれた上記レーザーダイオード素子からの光線としたことを特徴とする請求項１〜請求項６のいずれかに記載の光ピックアップの調整方法。
【請求項９】
上記フォトダイオード素子が受光する光線を、上記レーザーダイオード素子からの光線を受光した受光素子の出力に応じた強度を有する発光素子から照射される光線としたことを特徴とする請求項１〜請求項６のいずれかに記載の光ピックアップの調整方法。
【請求項１０】
上記基準固定抵抗器と直列に、ＲＬ並列のスナバ回路を接続したことを特徴とする請求項１または請求項３または請求項５に記載の光ピックアップの調整方法。
【請求項１１】
レーザーダイオード素子と、その発光量を検出するモニター素子と、光ディスクからの反射光を検出するフォトダイオード素子とを備えるとともに、上記モニター素子の出力端に接続され、上記モニター素子の検出電流を制限する固定抵抗器と、請求項１〜請求項１０のいずれかの調整方法によって調整された抵抗値を有し、上記固定抵抗器に後付けにて並列または直列接続される追加抵抗器を接続するための後付け用端子とを備えたことを特徴とする光ピックアップ用回路。
【請求項１２】
請求項１〜請求項１０のいずれかの調整方法に用いられる調整装置であって、基準電圧を発生する基準電源と、非反転側が上記基準電源に接続され、反転側がモニター素子の出力端に接続された出力アンプと、一端側が上記出力アンプの非反転入力側に接続され、他端側が上記基準電源のグラウンド側に接続され、上記モニター素子の光電流の大きさを調整する調整用抵抗器とを備えたことを特徴とする光ピックアップの調整装置。
【請求項１３】
上記調整用抵抗器は、既知の値を有する基準固定抵抗器群と、接続される基準固定抵抗器を上記基準固定抵抗器群の中から選択するための切り替えスイッチとを備えていることを特徴とする請求項１２に記載の光ピックアップの調整装置。
【請求項１４】
上記調整用抵抗器を可変抵抗器としたことを特徴とする請求項１２に記載の光ピックアップの調整装置。
【発明の詳細な説明】
【技術分野】
【０００１】
本発明は、光ピックアップに関するもので、特に、光ピックアップの出力を調整するためのモニター素子を備えた光ピックアップに関する。
【背景技術】
【０００２】
光ピックアップには、例えば、図６に示すように、発光源としてのレーザーダイオード素子３とこのレーザーダイオード素子３の直接発光強度を監視するモニター素子４とを収納するレーザーダイオードパッケージ２と、光ディスク５により反射される上記レーザーダイオード素子３からの光線を信号として受光するフォトダイオード素子６とが、発光・受光による信号再生のための主要部品として搭載されており、上記レーザーダイオード素子３から発した光線を、光ピックアップ１Ｐに対向するように配置された光ディスク５の信号面において、フォトダイオード素子６に向けて反射させて受光し、発生したフォトダイオード素子６の出力電流Ｉｐを電流電圧変換アンプ７により信号電圧Ｖｐとして取出して、光ディスク５の信号を再生する。
ここで、上記レーザーダイオード素子３の一端側は入力端子１ａを介して直流電源に接続され、他端側はグラウンドＧに接続されており、上記モニター素子４の一端側は、モニター素子４の光電流Ｉｍの大きさを規定するための半固定抵抗器８Ｐを介してグラウンドＧに、他端側は、動作時にグラウンドＧに接続されるグラウンド用端子１ｃに接続するように構成されている。
上記直流電圧の印加されたレーザーダイオード素子３の発するレーザー光線の強度と、光ディスク５からその反射光を受光するフォトダイオード素子６の出力電流Ｉｐとは、ともに再生信号のＳ／Ｎに重要な関わりがあり、レーザーダイオード素子３には適切な発光強度が要求されるとともに、フォトダイオード素子６には適切な出力振幅が要求される。
【０００３】
しかしながら、これらレーザーダイオード素子３とフォトダイオード素子６とは、ともに製造上のばらつきがあり、各製品毎にそれぞれ適切な動作状態になるように、整合を取る必要がある。例えば、上記レーザーダイオード素子３は直流電圧を印可することで発光するが、印可される電圧が一定であっても素子内を流れる電流の大きさや発光効率は個々のレーザーダイオード素子３によって異なるため、所定のばらつき範囲内に収まるように管理されている。また、フォトダイオード素子６も同様に、個々の光電変換効率が異なるため、所定の規格で管理されたばらつき範囲内に収められている。
そこで、レーザーダイオード素子３を発光させて光ディスク５の情報記録面にレーザー光を照射した時に、その反射光を検出するフォトダイオード素子６の出力電流Ｉｐが所定の範囲内に収まるように、上記レーザーダイオード素子３及びフォトダイオード素子６の両者の合成ばらつきを総合的に低減するようにすれば、レーザーダイオード素子３とフォトダイオード素子６とにそれぞれ製造上のばらつきがあっても、フォトダイオード素子６の出力電流Ｉｐを所定の範囲内に収めることができる。
そこで、上記合成ばらつきを低減するため、上記モニター素子４の出力端に接続された半固定抵抗器８Ｐの抵抗値を個々の光ピックアップ１Ｐに合わせて設定する。これにより、上記フォトダイオード素子６が適切な振幅の信号電流を出力することができ、結果として、適切なＳ／Ｎを得ることができる（例えば、特許文献１参照）。
【０００４】
次に、半固定抵抗器８Ｐを用いた光ピックアップ１Ｐの調整方法について説明する。
まず、光ピックアップ１Ｐの電流電圧変換アンプ７の出力側に、信号電圧Ｖｐを測定するための電圧計１０Ｄを接続するとともに、レーザーダイオード素子３の入力側が接続される入力端子１ａとモニター素子４の出力側が接続されるモニター端子１ｍとをそれぞれ、基準電圧Ｖｒｅｆを出力する基準電源１１が内蔵された調整回路１０Ｐの出力端子１０ａとモニター電圧入力端子１０ｂにそれぞれ接続し、半固定抵抗器８Ｐのモニター素子４との接続点とは反対側が接続されるグラウンド用端子１ｃを、上記調整回路１０ＰのグラウンドＧ側に接続された接続端子１０ｃに接続する。上記基準電源１１の基準電圧Ｖｒｅｆは駆動用トランジスタを制御する出力アンプ１２の反転入力側に入力され、上記出力アンプ１２の出力レベルを制御するための基準電圧となる。
レーザーダイオード素子３に、調整回路１０Ｐの駆動用トランジスタを介して直流電圧Ｖ０が印加されると、レーザーダイオード素子３が発光し、その光線がモニター素子４に直接照射されるので、上記モニター素子４には光電流Ｉｍが励起される。この光電流Ｉｍは上記半固定抵抗器８Ｐを介して調整回路１０ＰのグラウンドＧに流れるので、上記半固定抵抗器８Ｐとモニター素子４との接続点には、光電流の大きさをＩｍ、半固定抵抗器８Ｐの抵抗値をＲとしたときに、以下の式（１）で表わされる電圧（以下、モニター電圧という）Ｖｉが発生する。
Ｖｉ＝Ｉｍ・Ｒ  ‥‥‥‥（１）
【０００５】
半固定抵抗器８Ｐとモニター素子４との接続点は、出力端子１ｂを介して、調整回路１０Ｐの出力アンプ１２の非反転側に接続されているモニター電圧入力端子１０ｂに接続されているので、調整回路１０Ｐの出力アンプ１２は、モニター電圧Ｖｉの基準電圧Ｖｒｅｆに対する過不足分を差動増幅して上記トランジスタのベース電圧を増減させ、上記レーザーダイオード素子３に印加される直流電圧Ｖ０の大きさを増減させる。
すなわち、調整回路１０Ｐは、Ｖｉ＜ＶｒｅｆであればＶ０を増大させてレーザーダイオード素子３の発光強度を強め、Ｖｉ＞ＶｒｅｆであればＶ０を減少させてレーザーダイオード素子３の発光強度を弱めるように動作し、常に、Ｖｉ＝ＶｒｅｆとなるようにＶ０を制御する。
一方、レーザーダイオード素子３の光線は光ディスク５にも照射されており、上記光ディスク５から反射した光線はフォトダイオード素子６で受光される。このフォトダイオード素子６の出力電流Ｉｐの大きさを、電流電圧変換アンプ７にて信号電圧Ｖｐに変換し、この電圧Ｖｐを出力端子１ｂに接続された電圧計１０Ｄで測定することにより、上記光ディスク５で反射された光信号の電圧を測定する。
【０００６】
以上の構成において、光ピックアップ１Ｐとして適切なＳ／Ｎを発揮するためには、光ディスク５を介して検出するフォトダイオード素子６の出力電流Ｉｐが所定の振幅範囲で動作するように、レーザーダイオード素子３の発光強度を調整する必要がある。上記モニター電圧Ｖｉの大きさは、レーザーダイオード素子３の発光強度にかかわらずＶｉ＝Ｖｒｅｆであるので、モニター素子４を流れる光電流Ｉｍの大きさは、半固定抵抗器８Ｐの抵抗値をＲとすると、以下の式（２）で表わされる。
Ｉｍ＝Ｖｒｅｆ／Ｒ  ‥‥‥‥（２）
モニター素子４を流れる光電流Ｉｍの大きさは、レーザーダイオード素子３の発光強度に対応して増減するので、半固定抵抗器８Ｐの固定端子と可動端子との間の抵抗値Ｒを増減させて上記光電流Ｉｍの大きさを調整すれば、フォトダイオード素子６の出力電流Ｉｐを適切な大きさのレベルに調整することができる。
【特許文献１】特開２００３−２５７０７０号公報
【発明の開示】
【発明が解決しようとする課題】
【０００７】
しかしながら、半固定抵抗器は一般に固定抵抗器に比較して高価であり、特に、フォトダイオード素子の出力電流を適切に調整するためには、上記半固定抵抗器として抵抗値の設定精度が極めて高いものを用いる必要があることから、光ピックアップのコストダウンの障害となっていた。
また、半抵抗固定器は可動接点の長期安定性に問題があり、経時的な酸化等によって接点不良を生じて上記設定された抵抗値が変化し、フォトダイオード素子の出力電流が不安定になる恐れもある。
【０００８】
本発明は、従来の問題点に鑑みてなされたもので、従来使用されていた半固定抵抗器に代えて安価な固定抵抗器を用い、フォトダイオード素子の出力電流を精度よく設定できるとともに、長期安定性にも優れた光ピックアップを提供することを目的とする。
【課題を解決するための手段】
【０００９】
本願の請求項１に記載の発明は、レーザーダイオード素子と、その発光量を検出するモニター素子と、光ディスクからの反射光を検出するフォトダイオード素子と、上記モニター素子の出力端に接続され、上記モニター素子の検出電流を制限する抵抗器とを備えた光ピックアップの調整方法であって、上記抵抗器を、固定抵抗器とこの固定抵抗器に後付けにて並列接続される追加抵抗器とから成る合成抵抗器とするとともに、切り替えスイッチとこの切り替えスイッチにより選択される既知の値を有する基準固定抵抗器群とを備えた調整用抵抗器を上記追加抵抗器を並列接続するための後付け用端子に接続し、上記固定抵抗器に並列接続される基準固定抵抗器を切り替えながら上記レーザーダイオード素子を発光させて上記フォトダイオード素子の出力電流が所定の範囲内に収まるような基準固定抵抗器を選択した後、上記選択された基準固定抵抗器の抵抗値とほぼ同じ抵抗値の追加抵抗器を上記後付け用端子に後付けして上記合成抵抗器の抵抗値を調整するようにしたことを特徴とするものである。
請求項２に記載の光ピックアップの調整方法は、上記追加抵抗器の抵抗値を決定する際に、上記調整用抵抗器に代えて、可変抵抗器を上記固定抵抗器と並列に接続するとともに、上記追加抵抗器の抵抗値を、上記フォトダイオード素子の出力電流を所定の範囲内に収めるような上記可変抵抗器の抵抗値とほぼ同じ抵抗値としたものである。
【００１０】
また、請求項３に記載の光ピックアップの調整方法は、上記抵抗器を、固定抵抗器とこの固定抵抗器に後付けにて直列接続される追加抵抗器とから成る合成抵抗器とするとともに、切り替えスイッチとこの切り替えスイッチにより選択される既知の値を有する基準固定抵抗器群とを備えた調整用抵抗器を上記追加抵抗器を直列接続するための後付け用端子に接続し、上記固定抵抗器に直列接続される基準固定抵抗器を切り替えながら上記レーザーダイオード素子を発光させて上記フォトダイオード素子の出力電流が所定の範囲内に収まるような基準固定抵抗器を選択した後、上記選択された基準固定抵抗器の抵抗値とほぼ同じ抵抗値の追加抵抗器を上記後付け用端子に後付けして上記合成抵抗器の抵抗値を調整するようにしたものである。
請求項４に記載の光ピックアップの調整方法は、上記調整用抵抗器に代えて、可変抵抗器を上記追加抵抗器を直列接続するための後付け用端子に接続し、上記追加抵抗器の抵抗値を、上記フォトダイオード素子の出力電流を所定の範囲内に収めるような上記可変抵抗器の抵抗値とほぼ同じ抵抗値としたことを特徴とするものである。
請求項５に記載の光ピックアップの調整方法は、上記請求項３の合成抵抗器に代えて、切り替えスイッチとこの切り替えスイッチにより選択される既知の値を有する基準固定抵抗器群とを備えた調整用抵抗器と上記固定抵抗器と同じ抵抗値を有する第２の固定抵抗器と直列接続した調整用抵抗器を上記モニター素子の出力端子に接続し、上記基準固定抵抗器を切り替えながら上記レーザーダイオード素子を発光させて上記フォトダイオード素子の出力電流が所定の範囲内に収まるような基準固定抵抗器を選択した後、上記選択された基準固定抵抗器の抵抗値とほぼ同じ抵抗値の追加抵抗器を上記後付け用端子に後付けして上記合成抵抗器の抵抗値を調整するようにしたものである。
請求項６に記載の光ピックアップの調整方法は、上記合成抵抗器に代えて、可変抵抗器を上記固定抵抗器と同じ抵抗値を有する第２の固定抵抗器と直列接続するとともに、上記追加抵抗器の抵抗値を、上記フォトダイオード素子の出力電流を所定の範囲内に収めるような上記可変抵抗器の抵抗値とほぼ同じ抵抗値としたことを特徴とするものである。
【００１１】
また、請求項７に記載の発明は、請求項１〜請求項６のいずれかに記載の光ピックアップの調整方法において、上記フォトダイオード素子が受光する光線を、光ディスクにより反射された上記レーザーダイオード素子の反射光としたものである。
請求項８に記載の発明は、請求項１〜請求項６のいずれかに記載の光ピックアップの調整方法において、上記フォトダイオード素子が受光する光線を、導光部材を介して導かれた上記レーザーダイオード素子からの光線としたものである。
請求項９に記載の発明は、請求項１〜請求項６のいずれかに記載の光ピックアップの調整方法において、上記フォトダイオード素子が受光する光線を、上記レーザーダイオード素子からの光線を受光した受光素子の出力に応じた強度を有する発光素子から照射される光線としたものである。
また、請求項１０に記載の発明は、請求項１または請求項３または請求項５に記載の光ピックアップの調整方法において、上記基準固定抵抗器と直列に、ＲＬ並列のスナバ回路を接続したものである。
【００１２】
請求項１１に記載の発明は、追加抵抗器を後付けすることにより光ピックアップを構成するための回路であって、レーザーダイオード素子と、その発光量を検出するモニター素子と、光ディスクからの反射光を検出するフォトダイオード素子とを備えるとともに、上記モニター素子の出力端に接続され、上記モニター素子の検出電流を制限する固定抵抗器と、請求項１〜請求項１０のいずれかの調整方法によって調整された抵抗値を有し、上記固定抵抗器に後付けにて並列または直列接続される追加抵抗器を接続するための後付け用端子とを備えたことを特徴とするものである。
【００１３】
また、請求項１２に記載の発明は、請求項１〜請求項１０のいずれかの調整方法に用いられる調整装置であって、基準電圧を発生する基準電源と、非反転側が上記基準電源に接続され、反転側がモニター素子の出力端に接続された出力アンプと、一端側が上記出力アンプの非反転入力側に接続され、他端側が上記基準電源のグラウンド側に接続され、上記モニター素子の光電流の大きさを調整する調整用抵抗器とを備えたことを特徴とする。
請求項１３に記載の発明は、請求項１２に記載の光ピックアップの調整装置において、上記調整用抵抗器を、既知の値を有する基準固定抵抗器群と、接続される基準固定抵抗器を上記基準固定抵抗器群の中から選択するための切り替えスイッチとから構成したものである。
請求項１４に記載の発明は、請求項１２に記載の光ピックアップの調整装置において、上記調整用抵抗器を可変抵抗器としたものである。
【発明の効果】
【００１４】
本発明によれば、レーザーダイオード素子と、その発光量を検出するモニター素子と、光ディスクからの反射光を検出するフォトダイオード素子と、上記モニター素子の出力端に接続され、上記モニター素子の検出電流を制限する抵抗器とを備えた光ピックアップにおいて、上記抵抗器を、固定抵抗器とこの固定抵抗器に後付けにて並列接続される追加抵抗器とから成る合成抵抗器とするとともに、切り替えスイッチとこの切り替えスイッチにより選択される既知の値を有する基準固定抵抗器群とを備えた調整用抵抗器を上記追加抵抗器を並列接続するための後付け用端子に接続し、上記固定抵抗器に並列接続される基準固定抵抗器を切り替えながら上記レーザーダイオード素子を発光させて上記フォトダイオード素子の出力電流が所定の範囲内に収まるような基準固定抵抗器を選択した後、上記選択された基準固定抵抗器の抵抗値とほぼ同じ抵抗値の追加抵抗器を上記後付け用端子に後付けして上記合成抵抗器の抵抗値を調整するようにしたので、安価な固定抵抗器を用いてフォトダイオード素子の出力電流を精度よく設定することができる。
また、上記抵抗器を、固定抵抗器とこの固定抵抗器に直列に追加接続される追加抵抗器とを備えた合成抵抗器とし、上記追加抵抗器の抵抗値を、上記固定抵抗器と同じ抵抗値を有する固定抵抗と、切り替えスイッチとこの切り替えスイッチにより選択される既知の値を有する基準固定抵抗器群とを備えた調整用抵抗器とを直列接続して選択された、上記フォトダイオード素子の出力電流を所定の範囲内に収めるような基準固定抵抗器の抵抗値とほぼ同じ抵抗値としても同様の効果を得ることができる。
また、標準固定抵抗器に代えて可変抵抗器を用い、上記フォトダイオード素子の出力電流を所定の範囲内に収めるような上記可変抵抗器の抵抗値とほぼ同じ抵抗値を上記追加抵抗器の抵抗値としてもよい。
【発明を実施するための最良の形態】
【００１５】
以下、本発明の最良の形態について、図面に基づき説明する。
最良の形態１．
図１は、本最良の形態１に係る光ピックアップ１とその調整回路１０の構成を示す図で、本例の光ピックアップ１は、レーザーダイオードパッケージ２に収納された、発光源としてのレーザーダイオード素子３及びこのレーザーダイオード素子３の直接発光強度を監視するモニター素子４と、光ピックアップ１に対向するように配置された光ディスク５により反射される上記レーザーダイオード素子３からの光線を信号として受光するフォトダイオード素子６と、上記フォトダイオード素子６の出力電流Ｉｐを信号電圧Ｖｐに変換する電流電圧変換アンプ７と、上記モニター素子４の光電流Ｉｍの大きさを規定して、上記フォトダイオード素子６の出力電流Ｉｐの大きさを設定するための合成抵抗器８とを備えたもので、上記合成抵抗器８は予め合成抵抗器８に組込まれた固定抵抗器８ａと、後述する調整回路１０による調整後に、上記固定抵抗器８ａに並列接続される追加抵抗器８ｂを接続するための第１及び第２の接続端子８ｍ，８ｎとを備えている。上記合成抵抗器８の一端側、すなわち、上記固定抵抗器８ａの一端側と第１の接続端子８ｍとはモニター素子４の出力側に設けられたモニター端子１ｍに、上記合成抵抗器８の他端側である上記固定抵抗器８ａの他端側と第２の接続端子８ｎとは、光ピックアップ１の駆動時においてレーザーダイオード素子３に直流電圧を印加する、図示しない駆動回路のグラウンド側と接続されるグランド用端子１ｃに接続されている。
これにより、入力端子１ａからレーザーダイオード素子３に直流電圧が印加されると、上記レーザーダイオード素子３が発光するとともに、モニター素子４にはその光源が直接照射され、モニター素子４からは光電流Ｉｍが出力される。また、光ディスク５で反射された光線はフォトダイオード素子６で検出され、その出力電流Ｉｐは電流電圧変換アンプ７により信号電圧Ｖｐに変換されて、上記電流電圧変換アンプ７の出力端に接続された光ピックアップ１の出力端子１ｂから出力される。
【００１６】
一方、調整回路１０は、基準電圧Ｖｒｅｆを発生する基準電源１１と、非反転側が上記基準電源１１に接続され、反転側がモニター電圧入力端子１０ｂに接続された出力アンプ１２と、一端側が上記出力アンプ１２の非反転入力側に接続され、他端側が上記基準電源１１のグラウンドＧ側に接続された調整用抵抗器１３と、駆動用のトランジスタ１４とを備えたもので、調整時において、光ピックアップ１のレーザーダイオード素子３に直流電圧Ｖ０を印加するとともに、上記固定抵抗器８ａと並列接続される調整用抵抗器１３の抵抗値の大きさを増減させて上記モニター素子４の光電流Ｉｍの大きさを調整する。これにより、上記出力アンプ１２の出力を変化させて、上記直流電圧Ｖ０を増減させることができるので、レーザーダイオード素子３の発光強度を増減させることができ、フォトダイオード素子６の出力電流Ｉｐの大きさを調整することができる。
本例では、上記調整用抵抗器１３を、複数の基準固定抵抗器から成る標準固定抵抗器１３Ａと、抵抗とインダクタンスとが並列に接続されたスナバ回路１３Ｂと、切り替えスイッチ１３Ｃとから構成し、上記切り替えスイッチ１３Ｃにより、スナバ回路１３Ｂと直列接続される標準固定抵抗器１３Ａの基準固定抵抗器を選択する。
【００１７】
次に、光ピックアップ１と調整回路１０との接続方法について説明する。
調整回路１０の駆動用トランジスタ１４のエミッタ側は調整回路１０の出力端子１０ａに接続されており、この出力端子１０ａが上記レーザーダイオード素子３の入力側に接続される光ピックアップ１の入力端子１ａに接続されている。一方、出力アンプ１２の反転入力側が接続されるモニター電圧入力端子１０ｂは、上記合成抵抗器８と上記モニター素子４との接続点であるモニター端子１ｍに接続される。また、上記調整用抵抗器１３の一端側は、上記モニター電圧入力端子１０ｂを介して、上記モニター端子１ｍに接続され、他端側は調整回路１０のグラウンドＧ側に接続される接続端子１０ｃを介して、光ピックアップのグラウンド用端子１ｃに接続される。
これにより、光ピックアップ１の入力端子１ａには直流電圧Ｖ０が印加されるとともに、モニター素子４の出力側が出力アンプ１２の非反転入力側に接続される。また、上記の接続により、光ピックアップ１の第１の接続端子８ｍと第２の接続端子８ｎとの間には、スナバ回路１３Ｂと切り替えスイッチ１３Ｃにより選択された標準固定抵抗器１３Ａの基準固定抵抗器とが直列接続された調整用抵抗器１３とが接続されることになるので、上記モニター素子４の光電流Ｉｍは上記固定抵抗器８ａと上記選択された基準固定抵抗器との合成抵抗（並列接続抵抗）を介して調整回路１０のグラウンドＧ側に流れることになる（なお、スナバ回路１３Ｂの抵抗は無視できるものとする）。
【００１８】
上記合成抵抗Ｒは、フォトダイオード素子６の出力電流Ｉｐの大きさを、その許容設定範囲内の、例えば、理想電流値Ｉｐ０に対して±２％の範囲内に収める必要があることから、上記合成抵抗Ｒの抵抗値は約２〜３％の刻みステップで変化できるようにし、モニター素子４の光電流Ｉｍを同様に刻みステップで変化できるようにするのが望ましい。通常、基準固定抵抗器群から成る標準固定抵抗器はＥ２４系列，Ｅ４８系列，Ｅ９６系列等があるが、上記標準固定抵抗器を単独で用いた場合には、上述の刻みステップを満たすには必ずしも十分とはいえない。そこで、例えば、以下の表１に示すように、標準固定抵抗器に並列接続される固定抵抗器８ａを４．００ｋΩに固定しておき、標準固定抵抗器１３ＡをＥ４８系列の標準固定抵抗器とし、この標準固定抵抗器１３Ａの基準固定抵抗器のうちの一つを追加抵抗とすれば、合成抵抗Ｒは４．２２ｋΩの追加抵抗を基準としてみると、それぞれの刻みステップが、Ｅ９６系列並みの細かい刻みステップとなる。なお、必要に応じて、更に細かい刻みステップとすることも可能である。
【表１】
2006059467.tif 000003
【００１９】
次に、上記調整回路１０を用いた光ピックアップ１の調整方法について説明する。
まず、光ピックアップ１に調整回路１０を接続し、レーザーダイオード素子３に直流電圧Ｖ０を印可して発光させるとともに、光ディスク５で反射された光線をフォトダイオード素子６で検出する。そして、上記フォトダイオード素子６の出力電流Ｉｐを電圧に変換した信号電圧Ｖｐを、出力端子１ｂとグラウンドＧとの間に接続された電圧計１０Ｄにて監視しながら、切り替えスイッチ１３Ｃにより、上記固定抵抗器８ａに並列接続される標準固定抵抗器１３Ａの基準固定抵抗器を切り替える。
これにより、上記モニター素子４の光電流Ｉｍの大きさが増減して、調整回路１０の出力アンプ１２の出力電圧が増減するので、上記レーザーダイオード素子３の発光強度が増減し、上記フォトダイオード素子６の発生する出力電流Ｉｐが増減する。したがって、上記電圧計１０Ｄの計測した信号電圧Ｖｐが所定の範囲内になるように、上記標準固定抵抗器１３Ａの基準固定抵抗器を適宜選択することにより、フォトダイオード素子６の出力電流Ｉｐを適切なレベルに調整することができる。
本例では、上記のように、光ピックアップ１の固定抵抗器８ａと調整回路１０の標準固定抵抗器１３Ａの基準固定抵抗器との並列接続抵抗により、上記モニター素子４の光電流Ｉｍの大きさを調整するようにしているので、基準固定抵抗器群の抵抗値が飛び飛びの粗い値であっても、合成抵抗としては細かい設定が可能なので、精度のよい光電流Ｉｍの制御が可能となる。
なお、スナバ回路１３Ｂは必ずしも必要なものではないが、スナバ回路１３Ｂを用いることにより、切り替えスイッチ１３Ｃの切り替え時に発生するサージ電圧を低減することができ、調整作業中におけるレーザーダイオード素子３の損傷を防止することができる。
【００２０】
このようにして、フォトダイオード素子６の出力電流Ｉｐを適切なレベルに設定することのできる基準固定抵抗器を選択した後、光ピックアップ１から調整回路１０を取り外して、上記選択された基準固定抵抗器の抵抗値により指定される大きさの固定抵抗器を追加抵抗器８ｂとし、この追加抵抗器８ｂの両端を上記合成抵抗器８の第１の接続端子８ｍと第２の接続端子８ｎとにそれぞれ半田付けして合成抵抗器８を完成する。
これにより、レーザーダイオード素子３に直流電圧が印加されたときのモニター素子４の光電流Ｉｍの大きさを上記合成抵抗器８により適切に規制することができるので、フォトダイオード素子６の出力電流Ｉｐを所定の範囲に収めることができる。
なお、基準固定抵抗の中から適切な抵抗値を選択する場合、予め、フォトダイオード素子６の出力電流Ｉｐと上記光電流Ｉｍとの関係との相関性を把握しておくとともに、上記光電流Ｉｍを測定して、上記基準固定抵抗を選択するようにすれば、上記電圧計１０Ｄを省略することができる。
【００２１】
このように、本最良の形態１では、光ピックアップ１のモニター素子４の光電流Ｉｍを規制する抵抗器を固定抵抗器８ａとこの固定抵抗器８ａに並列接続される追加抵抗器８ｂとを備えた合成抵抗器８とするとともに、上記固定抵抗器８ａに、一端側が出力アンプ１２の非反転入力側に接続され、他端側が基準電圧Ｖｒｅｆを発生する基準電源１１のグラウンドＧ側に接続された、複数の基準固定抵抗器から成る標準固定抵抗器１３Ａ，抵抗とインダクタンスとが並列に接続されたスナバ回路１３Ｂ及び切り替えスイッチ１３Ｃから構成された調整回路１０の上記調整用抵抗器１３を並列接続し、上記切り替えスイッチ１３を切り替えて上記調整用抵抗器１３の抵抗値の大きさを増減させることによりフォトダイオード素子６の出力電流Ｉｐの大きさを変化させて、上記出力電流Ｉｐが所定の電流範囲に収まるような基準固定抵抗器を選択した後、上記選択された基準固定抵抗器の抵抗値とほぼ等しい抵抗値を有する追加抵抗器８ｂを上記光ピックアップ１に後付けするようにしたので、安価な固定抵抗器を用いても、フォトダイオード素子６の出力電流Ｉｐを適切に設定することができる。
【００２２】
なお、上記最良の形態１では、調整用抵抗器１３を構成する標準固定抵抗器１３Ａの基準固定抵抗を切り替えて、フォトダイオード素子６の出力電流Ｉｐを最適にするための追加抵抗器８ｂの抵抗値を設定したが、上記調整用抵抗器１３に代えて、図２に示すように、可変抵抗器１５を用いて追加抵抗器８ｂの抵抗値を設定するようにしてもよい。
但し、この場合には、可変抵抗器１５の抵抗値Ｒｖを求めるために、固定抵抗器８ａと上記可変抵抗器１５とに分流して流れる光電流Ｉｍの大きさを検出する電流計１６を上記調整回路１０に設ける必要がある。
上記可変抵抗器１５の抵抗値Ｒｖは、調整回路１０の接続端子１０ｃとグラウンドＧとの間に上記電流計１６を接続して、上記光電流Ｉｍの大きさを検出するとともに、この検出された光電流Ｉｍと調整回路１０の基準電圧Ｖｒｅｆと固定抵抗器８ａの抵抗値Ｒ０とを用い、以下の式（３）により算出することができる。
Ｒｖ＝（Ｒ０・Ｖｒｅｆ）／（Ｉｍ・Ｒ０−Ｖｒｅｆ）‥‥‥‥（３）
そして、上記式（３）により算出した可変抵抗器１５の抵抗値Ｒｖにより指定される大きさ固定抵抗器を追加抵抗器８ｂとし、この追加抵抗器８ｂの両端を上記合成抵抗器８の第１の接続端子８ｍと第２の接続端子８ｎとにそれぞれ半田付けすれば、フォトダイオード素子６の出力電流Ｉｐを適切なレベルに設定することができる。
なお、上記可変抵抗器１５は、従来のように単独で用いられるのではなく、上記固定抵抗器８ａと並列に接続されているので、必ずしも精度の高いものを用いなくても、合成抵抗の抵抗値を精度よく増減することができる。また、上記可変抵抗器１５は調整後の光ピックアップ１には搭載されないので、逆に、精度の高いものを用いてもよい。
【００２３】
また、上記例では、レーザーダイオード素子３が照射した光線を光ディスク５で反射し、これをフォトダイオード素子６で受光するようにしたが、図３に示すように、光ディスク５に代えて、導光部材１７を用いて、レーザーダイオード素子３が照射した光線をフォトダイオード素子６に導いて受光するようにしてもよい。これにより、光ディスク５を動作させることなく、光ピックアップ装置の調整を行うことができる。
あるいは、図４に示すように、レーザーダイオード素子３が照射した光線を受光する受光素子１８ａと、上記受光素子１８ａの検出したレーザーダイオード素子３の発光強度に応じた強度の光線をフォトダイオード素子６に照射する発光素子１８ｂとを備えた、発光手段１８を用いて、フォトダイオード素子６の出力電流Ｉｐを適切なレベルに設定するようにしてもよい。
【００２４】
最良の形態２．
最良の形態１では、モニター素子４の光電流Ｉｍを規定するための合成抵抗器８を、固定抵抗器８ａと追加抵抗器８ｂとの並列抵抗としたが、図５に示すように、上記合成抵抗器８に代えて、固定抵抗器８ｃと追加抵抗器８ｄとを直列接続した合成抵抗器８Ｚを用いるとともに、上記追加抵抗器８ｄの抵抗値を、調整回路１０Ｚに設けられた、上記最良の形態１で用いた、切り替えスイッチ１３Ｃにより、スナバ回路１３Ｂと直列接続される標準固定抵抗器１３Ａの基準固定抵抗器を選択する調整用抵抗器１３と、上記固定抵抗器８ｃの抵抗値と同じ抵抗値を有する第２の固定抵抗器１９とを直列に接続した調整用抵抗器１３Ｚを用いて設定することによっても、フォトダイオード素子６の出力電流Ｉｐを最適にすることができる。
本例の光ピックアップ１Ｚの合成抵抗器８Ｚは、詳細には、予め合成抵抗器８Ｚに組込まれた固定抵抗器８ｃと、後述する調整回路１０Ｚによる調整後に、上記固定抵抗器８ｃに直列接続される追加抵抗器８ｄを接続するための第１及び第２の接続端子８ｐ，８ｑとを備えており、上記合成抵抗器８Ｚの一端側、すなわち、上記固定抵抗器８ｃの一端側はモニター素子４の出力側に設けられたモニター端子１ｍに接続され、固定抵抗器８ｃの他端側は第１の接続端子８ｐに接続されている。また、上記合成抵抗器８Ｚの他端側である第２の接続端子８ｑはグランド用端子１ｃに接続されている。
また、調整回路１０Ｚの上記調整用抵抗器１３Ｚの一端側は、モニター電圧入力端子１０ｂを介して、モニター端子１ｍに接続され、他端側は調整回路１０ＺのグラウンドＧ側に接続されているが、本最良の形態２では、上記最良の形態１とは異なり、光ピックアップ１Ｚのグラウンド用端子１ｃは、調整回路１０Ｚには接続されない。すなわち、本例では、モニター素子４の光電流Ｉｍは固定抵抗器８ｃには流れず、調整回路１０Ｚの上記調整用抵抗器１３Ｚにのみ流れることになる。
【００２５】
本例においても、光ピックアップ１Ｚと調整回路１０Ｚとを接続すると、光ピックアップ１Ｚの入力端子１ａには直流電圧Ｖ０が印加されるとともに、モニター素子４の出力側が出力アンプ１２の非反転入力側に接続される。また、上記のような接続により、モニター素子４の光電流Ｉｍは、スナバ回路１３Ｂと、切り替えスイッチ１３Ｃにより選択された標準固定抵抗器１３Ａの基準固定抵抗器と、上記標準固定抵抗器１３Ａに直列接続された第２の固定抵抗器１９を介して調整回路１０ＺのグラウンドＧ側に流れることになる。したがって、レーザーダイオード素子３に直流電圧Ｖ０を印可して発光させるとともに、光ディスク５で反射された光線をフォトダイオード素子６で検出し、上記フォトダイオード素子６の出力電流Ｉｐを電圧に変換した信号電圧Ｖｐを、出力端子１ｂとグラウンドＧとの間に接続された電圧計１０Ｄにて監視しながら、切り替えスイッチ１３Ｃにより、標準固定抵抗器１３Ａの基準固定抵抗器を選択することにより、上記モニター素子４の光電流Ｉｍの大きさを増減させて、調整回路１０の出力アンプ１２の出力電圧が増減させ、上記レーザーダイオード素子３の発光強度を増減させることができる。すなわち、標準固定抵抗器１３Ａの選択された基準固定抵抗器の抵抗値によって上記フォトダイオード素子６の発生する出力電流Ｉｐが増減するので、上記電圧計１０Ｄの計測した信号電圧Ｖｐが所定の範囲内になるように、上記標準固定抵抗器１３Ａの基準固定抵抗器を適宜選択することにより、フォトダイオード素子６の出力電流Ｉｐを適切なレベルに調整することができる。
【００２６】
また、本例では、上記のように、光ピックアップ１Ｚの固定抵抗器８ｃと同じ抵抗値を有する第２の固定抵抗器１９と、調整回路１０Ｚの標準固定抵抗器１３Ａの基準固定抵抗器との直列接続抵抗により、上記モニター素子４の光電流Ｉｍの大きさを調整するようにしているので、標準固定抵抗器として抵抗値の小さなものを用いることができる。すなわち、標準固定抵抗器として抵抗値の小さい場合には、標準固定抵抗器間の抵抗値の差も小さいので、合成抵抗器８Ｚの抵抗値としては細かい設定が可能となり、フォトダイオード素子６の出力電流Ｉｐを精度よく調整することができる。
このようにして、フォトダイオード素子６の出力電流Ｉｐを適切なレベルに設定することのできる基準固定抵抗器の抵抗値が決定したら、光ピックアップ１から調整回路１０を取り外して、上記選択された基準固定抵抗器の抵抗値により指定される大きさ固定抵抗器を追加抵抗器８ｄとし、この追加抵抗器８ｄの両端を上記合成抵抗器８Ｚの第１の接続端子８ｐと第２の接続端子８ｑとにそれぞれ半田付けして、固定抵抗器８ｃと追加抵抗器８ｄとが直列接続された合成抵抗器８Ｚを完成する。
【００２７】
なお、上記最良の形態２では、調整用抵抗器１３を構成する標準固定抵抗器１３Ａの基準固定抵抗を切り替えて、フォトダイオード素子６の出力電流Ｉｐを最適にするための追加抵抗器８ｂの抵抗値を設定したが、上記調整用抵抗器１３Ｚに代えて、可変抵抗器を用いて追加抵抗器８ｄの抵抗値を設定するようにしてもよい。
但し、この場合には、可変抵抗器の抵抗値Ｒｑを求めるために、電流計１６を上記調整回路１０に設けて、第２の固定抵抗器１９と上記可変抵抗器を流れる光電流Ｉｍの大きさを検出する必要がある。
上記可変抵抗器の抵抗値Ｒｑは検出された光電流Ｉｍと調整回路１０の基準電圧Ｖｒｅｆと第２の固定抵抗器１９の抵抗値（固定抵抗器８ｃの抵抗値）Ｒｐとを用い、以下の式（４）により算出することができる。
Ｒｑ＝（Ｖｒｅｆ／Ｉｍ）−Ｒｐ‥‥‥‥（４）
そして、上記式（４）により算出した可変抵抗器の抵抗値Ｒｐにより指定される大きさ固定抵抗器を追加抵抗器８ｄとし、この追加抵抗器８ｄの両端を上記合成抵抗器８Ｚの第１の接続端子８ｐと第２の接続端子８ｑとにそれぞれ半田付けすれば、フォトダイオード素子６の出力電流Ｉｐを適切なレベルに設定することができる。
なお、上記可変抵抗器は第２の固定抵抗器１９と直列接続されるので、抵抗値の変化幅が小さな可変抵抗器を用いることができるので、合成抵抗器８Ｚの抵抗値としては、上記例と同様に、細かい設定が可能となる。
【００２８】
また、上記例では、追加抵抗器８ｄの抵抗値を、調整用抵抗器１３あるいは可変抵抗器と固定抵抗器８ｃの抵抗値と同じ抵抗値を有する第２の固定抵抗器１９とを直列に接続した調整用抵抗器１３Ｚを用いて設定するようにしたが、上記第２の固定抵抗器１９を省略して、追加抵抗器８ｄを接続するための第１の接続端子（固定抵抗器８ｃ側の接続端子）８ｐと調整回路１０ＺのグラウンドＧとの間に調整用抵抗器１３あるいは可変抵抗器を接続して追加抵抗器８ｄの抵抗値を設定するようにしてもよい。なお、この場合には、モニター素子４の光電流Ｉｍは固定抵抗器８ｃとこの固定抵抗器８ｃに直列接続された上記調整用抵抗器１３あるいは可変抵抗器に流れることになる。
【産業上の利用可能性】
【００２９】
以上説明したように、本発明によれば、安価な固定抵抗器を用いてフォトダイオード素子の出力電流を精度よく設定することができるので、高い性能を確保しながら光ピックアップをコストダウンすることができる。
【図面の簡単な説明】
【００３０】
【図１】本発明の最良の形態１に係る光ピックアップの調整方法を示す図である。
【図２】本発明による光ピックアップの調整方法の他の例を示す図である。
【図３】本発明による光ピックアップの調整方法の他の例を示す図である。
【図４】本発明による光ピックアップの調整方法の他の例を示す図である。
【図５】本最良の形態２に係る光ピックアップの調整方法を示す図である。
【図６】従来の光ピックアップの調整方法を示す図である。
【符号の説明】
【００３１】
１  光ピックアップ、１ａ  入力端子、１ｂ  出力端子、１ｃ  グラウンド用端子、
１ｍ  モニター端子、２  レーザーダイオードパッケージ、３  レーザーダイオード素子、４  モニター素子、５  光ディスク、６  フォトダイオード素子、
７  電流電圧変換アンプ、８  合成抵抗器、８ａ  固定抵抗器、８ｂ  追加抵抗器、
８ｍ，８ｎ  第１及び第２の接続端子、１０  調整回路、１０ａ  出力端子、
１０ｂ  モニター電圧入力端子、１０ｃ  接続端子、１０Ｄ  電圧計、１１  基準電源、１２  出力アンプ、１３  調整用抵抗器、１３Ａ  標準固定抵抗器、
１３Ｂ  スナバ回路、１３Ｃ  切り替えスイッチ、１４  駆動用トランジスタ。
【図１】
2006059467.tif 000004
【図２】
2006059467.tif 000005
【図３】
2006059467.tif 000006
【図４】
2006059467.tif 000007
【図５】
2006059467.tif 000008
【図６】
2006059467.tif 000009